(57)【特許請求の範囲】
【請求項１】
フロントキャビネット及びリアキャビネットを含んで構成されるキャビネット内に表示装置本体が配置され、該表示装置本体が、リアフレームの前面開口部に表示パネルを配置し、該表示パネルの外周縁を覆うベゼルをリアフレームの外周部に止着したものであり、該リアフレームの外周部に設けられた複数の固定部がフロントキャビネットの裏面に一体突設したボスにビスで止着された表示装置において、
前記各固定部がリアフレームの外周部に凹設された凹部内に設けられており、
前記固定部が、リアフレームの深さ方向に延びる側板と、該側板から折り曲げられた底板とによって形成されていることを特徴とする表示装置。
【請求項２】
前記固定部にはさらに、前記底板の端縁からリアフレームの端縁にかけて補強片が一体形成されていることを特徴とする請求項１に記載の表示装置。
【請求項３】
前記固定部がリアフレームの外周部に所定間隔をおいて並設した一対のスリット間に形成され、該固定部を押し曲げることにより前記凹部が形成され、前記底板を貫通して前記ボスにビスを止着させるようにしたことを特徴とする請求項１または２に記載の表示装置。
【請求項４】
前記表示パネルは、リアフレームの前面開口部にセルガイドを介して配置されており、
前記セルガイドに一体突設されて前記凹部内に挿入されるセルガイド連結部が設けられており、前記底板及びセルガイド連結部を貫通して前記ボスにビスを止着させるようにしたことを特徴とする請求項１乃至請求項３のいずれか１項に記載の表示装置。
【発明の詳細な説明】
【技術分野】
【０００１】
本発明は、例えば液晶テレビや液晶モニターなどの薄型表示装置に関し、特に、強度が
大きく歩留りを良好にしたものである。
【背景技術】
【０００２】
従来、薄型表示装置の一例として図８の正面図に示すものがあり、これは液晶テレビで
あって、フロントキャビネット１ａ及びリアキャビネット１ｂ（図１参照）からなるキャ
ビネット１内に液晶モジュ−ル（表示装置本体）２が配置され、該液晶モジュ−ル２は、
金属製リアフレーム３の前面開口部に液晶パネル（表示パネル）４を配置し、該液晶パネ
ル４の外周縁を覆う横断面略Ｌ字状の金属製ベゼル５をリアフレーム３の外周部に止着し
、該リアフレーム３内にバックライト（図示せず）を配置したものであり、リアフレーム
３の外周部に所定間隔をおいて一体突設した複数の突出片からなる固定部６が設けられ、
該各固定部６がフロントキャビネット１ａの裏面に一体突設したボス７にビス８で止着さ
れている。なお、関連する技術として特許文献１に記載にしたものがある。
【先行技術文献】
【特許文献】
【０００３】
【特許文献１】特開２００９−８０２２９号公報
【発明の概要】
【発明が解決しようとする課題】
【０００４】
上記従来の構成では、液晶モジュ−ル２の固定部６がリアフレーム３より外側に突出さ
れているので、組立工程で液晶モジュ−ル２を搬送する際に、その固定部６が組立工具に
接触するなどして変形されたり損傷されるおそれがあり、液晶モジュ−ル２の歩留りが悪
くなる原因の一つになっている。
【０００５】
また、液晶モジュ−ル２が薄型で曲げ応力に弱いため、例えば搬送中に液晶モジュ−ル
２に対して衝撃や過大な負荷がかかることにより、その液晶モジュ−ル２が変形されたり
故障を生じさせたりすることがある。
【０００６】
本発明は、上記従来の難点に鑑み、強度が大きく歩留りが良好な薄型表示装置を提供す
ることを目的としている。
【課題を解決するための手段】
【０００７】
上記目的を達成するため、本発明の第１の手段は、フロントキャビネット及びリアキャビネットを含んで構成されるキャビネット内に表示装置本体が配置され、該表示装置本体が、リアフレームの前面開口部に表示パネルを配置し、該表示パネルの外周縁を覆うベゼルをリアフレームの外周部に止着したものであり、該リアフレームの外周部に設けられた複数の固定部がフロントキャビネットの裏面に一体突設したボスにビスで止着された表示装置において、前記各固定部がリアフレームの外周部に凹設された凹部内に設けられていることを特徴としている。また、前記固定部が、リアフレームの深さ方向に延びる側板と、該側板から折り曲げられた底板とによって形成されていることを特徴としている。
【０００８】
本発明の第２の手段は、第１の手段において、前記固定部にはさらに、前記底板の端縁からリアフレームの端縁にかけて補強片が一体形成されていることを特徴としている。
本発明の第３の手段は、第１の手段または第２の手段において、前記固定部がリアフレームの外周部に所定間隔をおいて並設した一対のスリット間に形成され、該固定部を押し曲げることにより前記凹部が形成され、前記底板を貫通して前記ボスにビスを止着させるようにしたことを特徴としている。
【０００９】
本発明の第４の手段は、第１の手段乃至第３の手段のいずれかにおいて、前記表示パネルは、リアフレームの前面開口部にセルガイドを介して配置されており、前記セルガイドに一体突設されて前記凹部内に挿入されるセルガイド連結部が設けられており、前記底板及びセルガイド連結部を貫通して前記ボスにビスを止着させるようにしたことを特徴としている。
【００１０】
本発明の第５の手段は、第４の手段において、前記ベゼルに一体突設されて前記凹部内に挿入されるベゼル連結部が設けられており、前記底板及びセルガイド連結部とベゼル連結部とを貫通して前記ボスにビスを止着させるようにしたことを特徴としている。
【発明の効果】
【００１１】
第１の手段によれば、リアフレームの外周部に所定間隔をおいて凹設した凹部内に各固定部が設けられており、該各固定部が従来のようにリアフレームの外方に突出されていないので、組立工程で表示装置本体を搬送する際に、その固定部が組立工具に接触するなどして変形されたり損傷されるおそれがなく、表示装置本体の歩留りを良好に維持することができる。
【００１２】
第２の手段または第３の手段によれば、固定部を補強片で補強することにより、固定部が変形されないようにしてボスに確実に止着することができる。
【００１３】
第４の手段によれば、セルガイドに一体突設したセルガイド連結部と固定部とが一体的に共締めされてボスに止着されているから，表示装置本体を確実に補強することができ、例えば搬送中に衝撃や過大な負荷がかかっても、表示装置本体を変形させることがなく故障も生じさせないようにできる。
【００１４】
第５の手段によれば、ベゼルに一体突設したベゼル連結部及びセルガイド連結部と固定部とが一体的に共締めされてボスに止着されているから、表示装置本体を一層確実に補強することができる。
【図面の簡単な説明】
【００１５】
【図１】本発明の実施の一形態である薄型表示装置の斜視図である。
【図２】同要部の拡大縦断面図である。
【図３】図２のＡ−Ａ矢視図である。
【図４】同要部の斜視図である。
【図５】同要部の分解斜視図である。
【図６】本発明の実施の他の形態である薄型表示装置の要部拡大縦断面図である。
【図７】変形例を示す正面図である。
【図８】従来例を示す正面図である。
【発明を実施するための形態】
【００１６】
図１〜図５は本発明の実施の一形態である薄型表示装置を示すものであり、これは液晶
テレビであって、リアフレーム３の上下左右の外周部３Ａ〜３Ｄのうち、上側外周部３Ａ
に所定間隔をおいて凹設した一対の凹部１０内に固定部６が形成され、該各凹部１０に対
向して横断面略Ｌ字状ベゼル５の正面板５ａから外周板５ｂにかけて連通孔１２が貫設さ
れ、合成樹脂製横断面略Ｌ字状セルガイド１３の正面板１３ａから外周板１３ｂにかけて
一体突設されて凹部１０内に挿入されるセルガイド連結部１４が設けられ、フロントキャ
ビネット１ａのボス７がベゼル５の連通孔１２を通って凹部１０内に挿入されている。
【００１７】
図２〜図５に示すように、前記リアフレーム３の上側外周部３Ａが横断面略コ字状に形
成されており、該上側外周部３Ａの正面板３ａから外周板３ｂにかけて一対のスリット１
６が所定間隔をおいて並設され、該両スリット１６間に前記固定部６が形成され、該固定
部６を略Ｌ字状に押し曲げることにより前記凹部１０が形成されている。
【００１８】
図２〜図５に示すように、前記固定部６は、リアフレーム３の深さ方向に延びる側板６
ａと、該側板６ａから直角に折り曲げられた底板６ｂとを有し、該底板６ｂの端縁からリ
アフレーム３の外周板３ｂの端縁にかけて一体形成した補強片１７がその外周板３ｂと面
一状に折り曲げられ、底板１４ｂの端縁中央にビス８を挿通するためのビス挿通溝１８が
形成されている。
【００１９】
上記構成によれば、固定部６とリアフレーム３との間にスリット１６が形成されている
ため、該固定部６の支持が不確実な構造であるが、補強片１７で補強することにより、そ
の固定部６が変形されないようにしてボス７に確実に止着することができる。
【００２０】
図２〜図５に示すように、前記セルガイド連結部１４は、セルガイド１３の正面板３ａ
及び外周板１３ｂに一体形成されて凹部１０内に挿入されるコ字状枠体１４ａと、該コ字
状枠体１４ａに一体形成された底板１４ｂとを有し、該底板１４ｂにはビス挿通孔１９が
貫設されている。
【００２１】
組立手順を説明すると、内部にバックライト（図示せず）を配置したリアフレーム３の
前面開口部にセルガイド１３を介して液晶パネル（表示装置本体）４を配置し、該液晶パ
ネル（表示パネル）４の外周縁を覆うベゼル５をねじ２０でリアフレーム３の外周部３Ａ
〜３Ｄに止着することにより、液晶モジュ−ル（表示装置本体）２を形成する。続いて、
その液晶モジュ−ル２を把持して、各凹部１０を各ボス７に遊嵌合させ、固定部６のビス
挿通溝１８及びセルガイド連結部１４のビス挿通孔１９を通ってビス８をボス７に止着す
ることにより、液晶モジュ−ル２をフロントキャビネット１ａに固定する。
【００２２】
上記構成によれば、リアフレーム３の上側外周部３Ａに所定間隔をおいて凹設した凹部
１０内に各固定部６が設けられており、該各固定部６が従来のようにリアフレーム３の外
方に突出されていないので（図８参照）、組立工程で液晶モジュ−ル２を搬送する際に、
その固定部６が組立工具に接触するなどして変形されたり損傷されるおそれがなく、液晶
モジュ−ル２の歩留りを良好に維持することができる。
【００２３】
また、セルガイド１３に一体突設したセルガイド連結部１４と固定部６とが一体的に共
締めされてボス７に止着されているから，液晶モジュ−ル２を確実に補強することができ
、例えば搬送中に衝撃や過大な負荷がかかっても、液晶モジュ−ル２を変形させることが
なく故障も生じさせないようにできる。
【００２４】
図３〜図５に示すように、セルガイド連結部１４の外周縁からベゼル５に向かって一体
突設した突起部２２と、連通孔１２の周縁からセルガイド１３に向けて折り曲げた折曲片
２３とを互いに重合させることにより、セルガイド１３とベゼル５との間の隙間を凹部１
０から遮断しており、これによって、セルガイド１３とベゼル５との間にノイズが侵入す
るのを阻止して、その間に配置したドライバーＩＣなどの電子機器が誤作動するのを防止
する。
【００２５】
図６は本発明の実施の他の形態である薄型表示装置の要部を示すものであり、これは液
晶テレビであって、ベゼル５に一体突設されて凹部１０内に挿入されるベゼル連結部２４
が設けられており、該ベゼル連結部２４が、リアフレーム３の深さ方向に延びる側板２４
ａと、該側板２４ａから直角に折り曲げられた底板２４ｂとを有し、該底板２４ｂの中央
にビス挿通孔２５が貫設されており、固定部６のビス挿通溝１８及びセルガイド連結部１
４のビス挿通孔１９とベゼル連結部２４のビス挿通孔２５を通ってビス８をボス７に止着
することにより、液晶モジュ−ル２をフロントキャビネット１ａに固定する。上記以外の
構成は図１〜図５に示す構成とほぼ同じであるから、同一部分に同一符号を付してその説
明を省略する。
【００２６】
上記構成によれば、ベゼル連結部２４及びセルガイド連結部１４と固定部６とが一体的
に共締めされてボス７にビス８で止着されているから、液晶モジュ−ル２を一層確実に補
強することができる。
【００２７】
上記実施の形態では、リアフレーム３の上側外周部３Ａに一対の凹部１０を形成したが
、これに限定されるわけではなく、図７に示すように、リアフレーム３の下側外周部３Ｂ
及びまたは左右両外周部３Ｃ，３Ｄに凹部１０を形成し、該各凹部１０内の固定部６をボ
ス７にビス８で止着するようにしてもよい。
【符号の説明】
【００２８】
１          キャビネット
１ａ        フロントキャビネット
２          液晶モジュ−ル（表示装置本体）
３          リアフレーム
３Ａ        リアフレームの上側外周部
４          液晶パネル（表示装置）
５          ベゼル
６          固定部
６ａ        固定部の側板
６ｂ        固定部の底板
７          ボス
８          ビス
１０        凹部
１３        セルガイド
１４        セルガイド連結部
１６        スリット
１７        補強片
２４        ベゼル連結部
【図１】
0005505059.tif 000002
【図２】
0005505059.tif 000003
【図３】
0005505059.tif 000004
【図４】
0005505059.tif 000005
【図５】
0005505059.tif 000006
【図６】
0005505059.tif 000007
【図７】
0005505059.tif 000008
【図８】
0005505059.tif 000009